(57)【要約】【課題】  従来の防犯用粘着シート乃至粘着マットは、泥棒等犯行者がその上を歩くとき足にくっついて犯行を阻止し対応処置を取れるようにするに対し、粘着はするが剥離できる粘着剤を塗布したシートにより防犯すべき箇所を覆い、犯行者が侵入や盗み等犯行時に一瞬ひるむようにして犯行チャンスを未然に防止でき、指紋も採取できるロール型防犯用粘着シートを提供する。【解決手段】  壁面取付部材２に支持されて内蔵スプリングにより回動復元可能な小径円筒１に端縁を固着して巻込み巻出し可能にした布製シート３をロールから引出したシート３先端の横材４にフック５を設け、シート３の巻込側内面に対象物に剥離可能に粘着するゼリー状粘着剤６を塗布したロール型防犯用粘着シートＰを用い、防犯すべき扉や自動車の運転席等に接して付設した壁面取付部材２とフック５により掛止した横材４との間で、防犯箇所の扉や自動車の運転席などを覆うようにする。【選択図】  図１
2005056123.tif 000002
【特許請求の範囲】
【請求項１】
内蔵スプリングにより回動復元するごとく壁面取付部材２に回動可能に両端を支持された所定巾の小径円筒１に、所定巾・所定長の布製シート３の端部の巾側縁部を固着して該シート３を前記円筒１に巻込み・巻出し可能にする一方、該シート３の前記固着端部の反対側の先端部に固着した横材４に、フック、紐等の他部材への係止部材５を設けるとともに、前記シート３の巻込み側内面に、粘着時対象物に剥離可能に粘着するゼリー状粘着剤６を薄層に塗布してなり、壁面取付部材２と横材４との間で前記シート３を展張乃至被覆状態で防犯面を覆うごとく使用可能にしたことを特徴とするロール型防犯用粘着シート。
【請求項２】
布製シート３の巻込側内面にゼリー状粘着材６を塗布する一方、巻込側外面にシリコン加工を施した請求項１記載のロール型防犯用粘着シート。
【請求項３】
ゼリー状粘着剤６はスチレンエチレンプロピレンスチレンブロック重合体等の合成ゴム系ホットメルト弾性体からなる請求項１又は２記載のロール型防犯用粘着シート。
【発明の詳細な説明】
【技術分野】
【０００１】
この発明は、泥棒等犯行者の建物内への進入や駐車中の自動車の盗難などの犯行を防止するための防犯用粘着シートに関し、より詳しくは不使用時の粘着シートの収納を容易にしたロール型防犯用粘着シートに関するものである。
【背景技術】
【０００２】
従来、泥棒等犯行者の外部からの進入を防止するために、侵入路に設置して粘着シート上を犯行者が歩行した際、該犯行者が粘着シートに足を取られて侵入を防止するようにしたものは知られており、この場合、シートの粘着剤に紫外線を照射したものを用い、時間的経過によって粘着性が低下することを少なくした防犯用粘着シートが提案されている。（例えば、特許文献１参照）。
【０００３】
また、粘着式防犯用マットとして、建物の警備解除時間帯において、防犯用マットを折畳んで所定の場所に容易に収納するようにしているものもある。（例えば、特許文献２参照）。
【０００４】
【特許文献１】登録実用新案第３０７４８３３号公報（請求項１、段落番号０００９，００１２）
【特許文献２】特開２００１−１５５２６４号公報（請求項１及び２、段落番号０００８）
【発明の開示】
【発明が解決しようとする課題】
【０００５】
上記の防犯用粘着シート及び粘着式防犯用マットは、何れも犯行者が犯行に及ぶ場合、粘着シート乃至粘着マット上の歩行による該シート乃至マットとの接触・粘着により犯行者の行為を遅らせてそれにより犯行を阻止するが、或いはその間に犯行者の逃亡まえの警備員等の現場への急行を確保することにより防犯効果を高めると共に物証の遺留を確保して捜査に資することができるものであるが、犯行者が逃亡後は防犯用粘着シート乃至粘着マットには、犯行者の遺留証拠として足跡（靴跡）や頭髪、衣服の布屑等の付着ができても、確実な証拠である指紋の採取は期待することはできなかった。
また、従来の粘着シート乃至粘着マットは、警戒領域への侵入路に敷設するものであるため、反後者をちゅうちょさせるものではなかった。
【０００６】
本発明は上記の点に鑑みてなされたものであって、従来の防犯用粘着シート乃至粘着マットと発想を異にするもので、従来品に使用される粘着剤がくっついたらくっついたままであるのに対し、粘着はするが犯行者に付着せず剥離することのできる特定の粘着剤を使用している。該粘着剤を塗布した粘着シートを警戒領域である防犯面を覆うようにして、犯行者が犯行時一瞬ひるむようにして犯行チャンスを未然に防止すると共に、犯行者が粘着シートに接触した際、洋服の繊維や頭髪など犯行者から分離したものは粘着するが粘着面から剥がれる指については、その指紋を確実に粘着面に形成できて有力な証拠として収集できる。さらに、使用しないときはコンパクトに収納状態にできるロール型防犯用粘着シートを提供することを目的とし、家屋や病院などの窓の張出し棚での鳩等鳥類の糞尿を防止できるロール型防犯用粘着シートを提供することを目的とする。
【課題を解決するための手段】
【０００７】
上記目的を達成するために、本発明のロール型防犯用粘着シートには、内蔵スプリングにより回動復元するごとく壁面取付部材２に回動可能に両端を支持された所定巾の小径の円筒１に、所定巾・所定長の布製シート３の端部の巾側縁部を固着して該シート３を前記円筒１に巻込み・巻出し可能にする一方、該シート３の前記固着端部の反対側の先端部に固着した横材４に、フック、紐等の他部材への係止部材５を設けるとともに、前記シート３の巻込み側内面に、粘着時対象物に剥離可能に粘着するゼリー状粘着材を６を薄層に塗布して構成されたもので、壁面取付部材２と横材４との間で前記シート３を展張乃至被覆状帯で防犯面を覆って使用できるようにしたことを特徴としている。
【０００８】
これにより、本ロール型防犯用粘着シートを、犯行を受けると予想される警戒すべき防犯面（出入口や扉前面、自動車の運転席上面等）を覆うごとく展張乃至被覆状態で設置すると、泥棒等犯行者が出入口から入ろうとしたり扉を開け侵入しようとする場合や、車を盗むべく自動車の運転席に座ろうとする場合に、一瞬、遅疑、逡巡して犯行チャンスを未然に防止することができる。そして、犯行者が本粘着シートに手で触れた場合、手は粘着面に粘着しても容易に剥がすことができて後に指紋が形成されるため、本粘着シートを犯行者の確実な遺留証拠として利用することができる。また、使用しないときは、粘着シート３が巻込み収納状態で非粘着面を外側にロール状に巻かれているため手に触れてもくっつかずコンパクトとなり、壁面取付部材２により容易に所定壁面に取付け使用に備えることができる。
【０００９】
上記ロール型防犯用粘着シートは、シート３の巻込側内面にゼリー状粘着剤６を塗布する一方、巻込側外面にシリコン加工を施すことが効果的で、これによりロールからシート３を引き出すとき、粘着剤塗布面は、巻かれたシート裏面にくっつくことを防止され、シート３を円滑に引き出すことができる。
【００１０】
上記ゼリー状粘着剤６はスチレンエチレンプロピレンスチレンブロック共重合体等の合成ゴム系ホットメルト弾性体を使用するのが良く、之をシートに塗布することにより対象物にはくっつくが極めて良好にシートを対象物から剥離することができる。
【発明の効果】
【００１１】
請求項１記載の本発明のロール型防犯用粘着シートによれば、ロールから引出した粘着剤を塗布したシートの粘着面は、対象物に粘着するが粘着しても剥離できて対象物にはくっつかず、また、粘着剤を塗布したシートは、使用しないときはロール部分に巻き込まれて場処をとらないため、建物の扉部や駐車中の車の運転席の近傍に容易に設置することができる。その使用にあたり、警戒・防犯の場合にのみ防犯面を覆って使用すると、泥棒等犯行者を一瞬ひるませて侵入や盗難などの犯行のチャンスを摘みとり犯行を防止することができ、且つ犯行者の指紋等の証拠も収集できる。
また、建物の窓の下棚に用いて鳩等鳥類の糞害を防止することができるなど、侵入や盗難防止その他の被害防止に広範囲に使用することができる。
【００１２】
請求項２記載の発明によれば、粘着剤を塗布したシートを巻き込んだロールからシートを引き出す場合、巻込側内面の粘着剤塗布面の巻込側外面にシリコン加工が施されているため、粘着剤塗布面はシート外面にくっつくのを防止され、シートをロールから円滑に引き出すことができる。
【００１３】
請求項３記載の発明によれば、ゼリー状粘着剤として剥離性の良いスチレンエチレンプロピレンスチレンブロック共重合体等の合成ゴム系ホットメルト弾性体を成分とする粘着剤をロール型防犯用粘着シートに使用することにより、該シートは対象物に粘着しても対象物に粘着剤が付着することはなく、該シートは容易に対象物から良好に剥離することができる。
【発明を実施するための最良の形態】
【００１４】
以下、本発明に係るロール型防犯用粘着シートの好ましい実施の形態を、添付の図面に基づいて説明する。
図１において、（Ａ）はロール型防犯用粘着シートＰの斜視図で、（Ｂ）は粘着シートの部分拡大断面図である。
【００１５】
１は、所定巾の小径円筒で、薄鋼板で断面が小径の円形に、且つ両端が浅い皿状のキャップをかぶせて形成され、該鋼板の図示しない衝合部に、所定巾・所定長の布製シート３の端部の巾側縁部が挟持固着されている。該小径円筒１の内部には、図示しない小径のコイルスプリングが同心に配設されており、小径円筒１は、壁面取付部材２の断面がコの字型の枠板21両側の対向する支持板22，22の間に小径円筒１のロック、フリーを切替えるための端部の調整ダイヤル23を介して回動・復元可能すなわち、布製シート３を引出して離すと復元するようになっている。
【００１６】
布製シート３の小径円筒１に固着された反対側の端部は、プラスチック製の横材４が両端のキャップ4a、4aにより該布製シート３を挟持して配設され、且つ横材４のシート挟持部の反対側には、一対の金属製のフック５、５が所定間隔をおいてそれぞれ横材４の左右端部に近接した位置に、該フック５の鉤部がシート３の巻込外側に指向して固着されている。
【００１７】
布製シート３の巻込側内面には、粘着時対象物に剥離可能に粘着するゼリー状粘着材６が、所定薄層に布製シート３の両側縁からそれぞれ小間隔をおいてシート面の大半を覆って所定巾に塗布されている。
このゼリー状粘着剤には粘着時剥離性の良いスチレンエチレンプロピレンスチレンブロック共重合体等の合成ゴム系ホットメルト弾性体が用いられる。なお、図示しないが布製シート３のゼリー状粘着剤６の塗布面の反対側には、巻き込んだ布面と粘着剤６との剥離を良くするため、シリコン加工が施されている。
【００１８】
上記壁面取付部材２の枠板21の背部には、該枠板21用の一対のブラケット2a,2a が、所定間隔をおいて任意の壁面に固着して使用するようになっており、本ロール型防犯用粘着シートＰを着脱できるようにしている。
【００１９】
次に本ロール型防犯用粘着シートＰの使用例について説明する。
〔使用例１〕図２において、ロール型防犯用粘着シートＰを防犯用に扉部に取付けた状態の斜視図（Ａ）と、該粘着シートＰの使用状態を示す扉部の縦断側面図（Ｂ）が示されている。
【００２０】
ロール型防犯用粘着シートを扉部に取付けて防犯効果を狙う場合は、扉が開閉する出入口の上枠部に、予め本ロール型防犯用粘着シートＰの壁面取付部材２を取付けるべく該取付部材２の枠板（フレーム）21を嵌め込むための左右一対のブラケット2a,2a を所定間隔をおいて固着しておき、該ブラケットにロール型防犯用粘着シートＰを装着しておく（図２（Ａ）参照）。
【００２１】
一方、扉の前方の床面には、予め、該ロール型防犯用粘着シートＰのシート端部の横材４に固着された左右一対のフック５、５を係止するための一対の金属製のフック掛止め片7 、7 が取付けた上面が床表面と一致するごとく、床面に凹設された小凹所８、８にフック係止片７の下方に折曲げられた鉤部71がそれぞれ位置するごとくねじ等で固着されており、横材４のフック５は上方から小凹所８に挿入・離脱可能になっている（図２（Ａ）（Ｂ）参照）。
【００２２】
これにより、粘着シート３すなわちゼリー状粘着剤６を塗布した布製シート３を使用しないときは害粘着シートは出入口の上枠部前面に位置する壁面取付部材２に両端を支持された小径円筒にロール状に巻き込まれて扉は平素の開閉可能な状態となる（図２（Ａ）参照）。
【００２３】
扉部を防犯警備態勢にするときは、扉前部上方の粘着シートのロールから横材４乃至左右のフック５、５を把持して粘着シートを引出し、横材４を把持して左右のフック５、５を床面に取付けられた左右のフック掛止片７、７の各鉤部71に掛止せしめると、粘着シート３は扉前面で粘着面６を前面にして展開状態となる。
これにより、泥棒等の犯行者は扉を開けて家屋内に侵入しようとするとき一瞬たじろいて扉を開けようとする意思をためらったり、消失したりして、犯行を未然に防止することができる（図２（Ｂ）参照）。
【００２４】
また、粘着シート３を取除こうとするなど犯行者が粘着シート前面に手をふれる場合、手は容易にシート前面より剥がれるが、シート前面の粘着剤６の表面に犯行者の指紋が形成される。さらに、犯行者の衣服の繊維や頭髪等の付着も考えられる。従って、犯行者が退散した後も、有力な遺留証拠として捜査に資することができる。
【００２５】
〔使用例２〕図３において、本ロール型防犯用粘着シートＰが駐車中の自動車の盗難防止の為に使用した例が示されており、図（Ａ）はロール型防犯用粘着シートを自動車き運転席に取付けた図で、図（Ｂ）はその使用状態を示す図である。
【００２６】
ロール型防犯用粘着シートＰは使用時には運転席のヘッドレストShの上部背面に該ロール型防犯用粘着シートＰを装着するために予め所定間隔をおいて取付けた左右一対のブラケット2aに、粘着シートを上前方に引出せるように装着し、一方該ロール型防犯用粘着シートＰを使用しないときは、之を車の後部トランクに収納しておく。これにより、運転席後部の座席に座った人には車の盗難防止警備態勢でないとき目障りなものがないようにするとともに、運転者は支障なく運転することができる。
【００２７】
また、ロール型防犯用粘着シートＰを車の盗難防止のための警備態勢にするために、運転席のシートＳ下部のシートベースSbの前端面には、ヘッドレストShの上部背面のロール型防犯用粘着シートＰから粘着シート３を引出して、運転シートＳの前部とヘッドレストShの上部との間に展張状態で架け渡すために、粘着シート端部の横材４に設けた一対の金属製のフック５、５を掛止するべく係止片７が前記フックと対応する位置に固着されている。
【００２８】
これにより、運転者が自動車を駐車して車から離れるとき、前記のようにヘッドレストSh上部に背面のロール型防犯用粘着シートＰから粘着シート３を引出して運転席のシートＳの前縁を経てフック５を掛止片７の孔71に掛止するとき、泥棒等犯行者は運転席に架け渡された粘着シート３を見て、運転席に座って車を盗むのをちゅうちょするか断念するため車の盗難を未然に防止することができる。この場合、運転席に架け渡された粘着シート３を取り除こうとしてシート前面に触れると犯行者の指紋が粘着面に形成されため爾後の捜査に役立てることができる。
【００２９】
上記粘着シート３の運転席への架け渡しは車の盗難を防止するためのものであるが、駐車中の車からのカーナビゲーター等の備品の盗難を防止するためには該備品上部をカバーするように粘着シート３をふ展張せしめる。この場合は、粘着シートを、例えば、後部座席，運転席上部から備品の取付けされたダッシュボード上部を覆うようにする。すなわち、図示しないが後部座席背部の窓の下部に前記ブラケット2aを一対、相互間隔をおいて固着しておき、ロール型防犯用粘着シートＰを該ブラケットに装着するとともに、運転席前面の奪取ボード上部に前記掛止片７の一対を展張した粘着シート端部にあるフック５，５を掛止するために固着しておく。
【００３０】
運転者が車を離れるとき、後部座席背部の窓の下のロール型防犯用粘着シートから粘着シート３を引出し、後部座席、運転席上方を経由してダッシュボード上部に予め取付けてある掛止片に粘着シート３端部の横材４に設けたフック５を掛止する。
これにより犯行者はダッシュボードに取付けられたカーナビゲーションを盗もうとしても、該粘着シート３に妨げられるため、カーナビゲーション等の備品の盗難を防止することができる。
【００３１】
また、本ロール型防犯用粘着シートＰは、運転席の前下方の床面に、粘着シート３を該床面に沿うように配置しておくことより、車の備品の盗難に対応させることができる。
すなわち、予めダッシュボード下方の床面に近接した位置にブラケットを介してロール型防犯用粘着シートＰを設置するとともに、運転席下部のシートベースSbの前端面に掛止片７を固着しておき、粘着シート３を使用しないときは該粘着シート３はロール型防犯用粘着シートＰのロールに巻込まれた状態とし、運転者が運転席を離れるときは該ロールから粘着シート３を引出しそのフック５をシートベース前端面の掛止片に掛止しておくことにより、犯行者が車に入り備品を盗もうとする場合、粘着シート３の粘着面に足跡をとることができ、備品盗難時の捜査に役立てることができる。
【００３２】
〔使用例３〕
図４において、本ロール型防犯用粘着シートＰを窓Ｗの外方報に突出た下棚Wrに取付けて鳩や雀等ど鳥類の糞害を防止するべく、粘着シート３を下棚上面に展張して使用する状態が示されている。この場合、窓Ｗの外方に突出た下棚Wrの左右方向の一方の側面（図では左側面）に、粘着シート３の巾が窓の下棚の突出量る対応した狭巾のロール型防犯用粘着シートＰを取付けるべく一対のブラケット2a,2a を固着して該ロール型防犯用粘着シートＰを装着しておき、ブラケット2aと反対側の下棚Wrの側面に、粘着シート３端部の横材４に固着したフック５，５に対応して、間隔をおいて掛止片７に固着しておく。
【００３３】
鳩など鳥類の糞害を予期しないときは、粘着シート３は、壁面取付け部材２に支持されたロールに巻込まれた収納状態にしておくが、鳥類の糞害を防止したい場合は、該ロールから粘着シート３を引出して下棚Wr上を覆うようにして（これにより粘着剤６は上面に位置する）、下棚Wrの前記ブラケットと反対側の側面の掛止片７，７にシート端末の横材４のフック５，５を係止せしめる。これにより鳩など鳥類が下棚Wr上に止まると、その脚が粘着剤６の塗布面に粘着して脚をとられて該鳥類は不自由となることを感得するため、その経験から粘着面から飛立って離れた以後は警戒して寄り付かなくなり鳥類の糞害を防止することができる。
【００３４】
本発明のロール型防犯用粘着シートの使用については、前記のごとく侵入や盗難防止のために扉部と駐車中の自動車に夫々用いた例と、鳩など鳥類の糞害防止のために窓の下棚に用いた例について説明したが、それ以外に例えば、貴金属類のショーケース内の商品その他の盗難防止や破損防止等の被害防止に広範囲に使用することができる。
【図面の簡単な説明】
【００３５】
【図１】ロール型防犯用粘着シートの斜視図と、粘着剤を塗布したシート断面図である。
【図２】ロール型防犯用粘着シートを扉部に取付けた状態の斜視図と、使用状態の縦断側面図である。
【図３】ロール型防犯用粘着シートを自動車の座席に取付け使用するときの側面図である。
【図４】ロール型防犯用粘着シートを窓の下棚に取付けて使用するときの斜視図である。
【符号の説明】
【００３６】
１…小径円筒、  ２…壁面取付部材、  ３…布製シート（粘着シート）、４…横材、  ５…係止部材、  ６…ゼリー状粘着材。
【図１】
2005056123.tif 000003
【図２】
2005056123.tif 000004
【図３】
2005056123.tif 000005
【図４】
2005056123.tif 000006